(57)【要約】【課題】電子機器により電子機器の状態の検出結果が更新されたタイミングで、給電装置が電子機器の状態を示す情報を電子機器から取得するようにすることを目的とする。【解決手段】給電装置は、電子機器に無線で電力を供給する給電手段と、前記給電装置に関する情報を前記電子機器に送信し、前記給電装置に関する情報が前記電子機器に送信された後に所定の時間が経過した後、前記電子機器に関する情報を前記電子機器から受信する通信手段と、前記電子機器に関する情報が前記電子機器から受信された後、前記電子機器に無線で供給される電力を制御するために前記電子機器に関する情報を用いる制御手段と、を有する。【選択図】図２
2019037140.tif 000002
【特許請求の範囲】
【請求項１】
給電装置であって、
電子機器に無線で電力を供給する給電手段と、
前記給電装置に関する情報を前記電子機器に送信し、前記給電装置に関する情報が前記電子機器に送信された後に所定の時間が経過した後、前記電子機器に関する情報を前記電子機器から受信する通信手段と、
前記電子機器に関する情報が前記電子機器から受信された後、前記電子機器に無線で供給される電力を制御するために前記電子機器に関する情報を用いる制御手段と、
を有することを特徴とする給電装置。
【請求項２】
前記所定の時間を示す情報は、前記通信手段によって前記電子機器から受信されることを特徴とする請求項１に記載の給電装置。
【請求項３】
前記所定の時間を示す情報は、前記給電装置に関する情報が前記電子機器に送信される前に前記通信手段によって前記電子機器から受信されることを特徴とする請求項１に記載の給電装置。
【請求項４】
前記電子機器に関する情報を送信することを前記電子機器に要求するための情報は、前記給電装置に関する情報が前記電子機器に送信された後に前記所定の時間が経過した場合に、前記電子機器に送信されることを特徴とする請求項１に記載の給電装置。
【請求項５】
前記給電装置に関する情報は、前記給電装置にエラーが発生しているか否かを示す情報、前記給電装置が出力できる電力の最大値を示す情報、又は、前記給電装置が対応している給電方式を示す情報を含むことを特徴とする請求項１に記載の給電装置。
【請求項６】
前記電子機器に関する情報は、前記電子機器にエラーが発生しているか否かを示す情報、前記給電装置から出力される電力の増加または減少を前記給電装置に要求するための情報、前記電子機器に接続された電池の残容量を示す情報、又は、前記電池の充電に関する情報を含むことを特徴とする請求項１に記載の給電装置。
【請求項７】
前記制御手段は、前記電子機器に関する情報が前記電子機器によって更新されたか否かに基づき、第１の電力を前記給電手段に出力させるか、前記第１の電力よりも大きい第２の電力を前記給電手段に出力させるかを制御することを特徴とする請求項１に記載の給電装置。
【請求項８】
前記制御手段は、前記電子機器に関する情報が前記電子機器によって更新された後は、第１の電力よりも大きい第２の電力を前記給電手段に出力させることを特徴とする請求項１に記載の給電装置。
【請求項９】
前記制御手段は、前記電子機器に関する情報が前記電子機器によって更新される前は、前記第１の電力を前記給電手段に出力させることを特徴とする請求項８に記載の給電装置。
【請求項１０】
給電装置を制御する制御方法であって、
給電装置から電子機器に無線で電力を供給するステップと、
前記給電装置に関する情報を前記電子機器に送信するステップと、
前記給電装置に関する情報が前記電子機器に送信された後に所定の時間が経過した後、前記電子機器に関する情報を前記電子機器から受信するステップと、
前記電子機器に関する情報が前記電子機器から受信された後、前記電子機器に無線で供給される電力を制御するために前記電子機器に関する情報を用いるステップと、
を有することを特徴とする制御方法。
【請求項１１】
給電装置の制御方法をコンピュータに実行させるためのプログラムであって、
給電装置から電子機器に無線で電力を供給するステップと、
前記給電装置に関する情報を前記電子機器に送信するステップと、
前記給電装置に関する情報が前記電子機器に送信された後に所定の時間が経過した後、前記電子機器に関する情報を前記電子機器から受信するステップと、
前記電子機器に関する情報が前記電子機器から受信された後、前記電子機器に無線で供給される電力を制御するために前記電子機器に関する情報を用いるステップと、
を有することを特徴とするプログラム。
【発明の詳細な説明】
【技術分野】
【０００１】
本発明は、無線給電を行う給電装置等に関する。
【背景技術】
【０００２】
近年、コネクタで接続することなく、無線により電力を伝送する給電システムが知られている。このような給電システムにおいて、コマンドを電子機器に送信するためのデータ通信と、電子機器への電力の伝送とを同一のアンテナを介して行う給電装置が知られている（特許文献１）。
【先行技術文献】
【特許文献】
【０００３】
【特許文献１】特開２００８−１１３５１９号公報
【発明の概要】
【発明が解決しようとする課題】
【０００４】
このような給電システムにおいて、給電装置が電子機器の状態に基づいて、電子機器への給電を制御することが求められている。その場合、電子機器は、電子機器の状態を定期的に検出し、給電装置は、電子機器で検出された電子機器の状態を示す情報を電子機器から定期的に取得する必要がある。
しかしながら、従来、電子機器が電子機器の状態を示す情報を更新するタイミングと、給電装置が電子機器の状態を示す情報を電子機器から取得するタイミングとについて考慮されていなかった。そのため、給電装置は、電子機器の状態を示す情報の更新が行われていないタイミングで、電子機器から電子機器の状態を示す情報を取得する場合があった。この場合、電子機器から取得した電子機器の状態を示す情報は、現在の電子機器の状態を示すものとして正しくない可能性がある。そのため、給電装置は、電子機器から取得した電子機器の状態を示す情報に基づいて、電子機器への給電を制御したとしても、所望の電力を電子機器に供給できないような事態が発生していた。
そこで、本発明は、電子機器により電子機器の状態を示す情報が更新されるタイミングに応じて、電子機器から電子機器の状態を示す情報を取得するタイミングを制御することによって、電子機器への無線給電を適切に行うようにすることを目的とする。
【課題を解決するための手段】
【０００５】
本発明に係る給電装置は、電子機器に無線で電力を供給する給電手段と、前記給電装置に関する情報を前記電子機器に送信し、前記給電装置に関する情報が前記電子機器に送信された後に所定の時間が経過した後、前記電子機器に関する情報を前記電子機器から受信する通信手段と、前記電子機器に関する情報が前記電子機器から受信された後、前記電子機器に無線で供給される電力を制御するために前記電子機器に関する情報を用いる制御手段と、を有することを特徴とする。
【発明の効果】
【０００６】
本発明によれば、電子機器により電子機器の状態を示す情報が更新されるタイミングに応じて、電子機器から電子機器の状態を示す情報を取得するタイミングを制御することによって、電子機器への無線給電を適切に行うことができる。
【図面の簡単な説明】
【０００７】
【図１】実施例１における給電システムの一例を示した図である。
【図２】実施例１における給電装置の一例を示したブロック図である。
【図３】実施例１における電子機器の一例を示したブロック図である。
【図４】実施例１における無線給電用データ群の一例を示した図である。
【図５】実施例１における給電処理の一例を示すフローチャートである。
【図６】実施例１における通信処理の一例を示すフローチャートである。
【図７】実施例１における給電装置の動作と電子機器の動作との一例を示すシーケンスチャート図である。
【発明を実施するための形態】
【０００８】
以下に、本発明の好ましい実施の形態を、添付の図面に基づいて詳細に説明する。
【実施例１】
【０００９】
以下、本発明の実施例１について、図面を参照して詳細に説明する。実施例１に係る給電システムは、図１に示すように、給電装置１００と、電子機器２００とを有する。実施例１における給電システムにおいて、電子機器２００が所定の範囲内に存在する場合、給電装置１００は、電子機器２００に無線給電を行う。また、電子機器２００が所定の範囲内に存在する場合、電子機器２００は、給電装置１００から出力される電力を無線により受け取る。また、電子機器２００が所定の範囲内に存在しない場合、電子機器２００は、給電装置１００から電力を受け取ることができない。なお、所定の範囲とは、給電装置１００と電子機器２００とが通信を行うことができる範囲であるものとする。なお、給電装置１００は、複数の電子機器に対して、無線給電を行うものであってもよいものとする。
【００１０】
電子機器２００は、カメラ等の撮像装置であってもよく、音声データや映像データの再生を行う再生装置であってもよい。また、電子機器２００は、携帯電話やスマートフォンのような通信装置であってもよいものとする。また、電子機器２００は、電池２０９を含む電池パックであってもよい。また、電子機器２００は、自動車であってもよい。また、電子機器２００は、テレビジョン放送を受信する装置、映像データを表示するディスプレイ、またはパーソナルコンピュータであってもよいものとする。また、電子機器２００は、電池２０９が装着されていない場合であっても、給電装置１００から供給される電力を用いて動作する装置であってもよい。
【００１１】
（給電装置１００）
図２は、給電装置１００の構成の一例を示すブロック図である。給電装置１００は、図２に示すように、変換部１０１、発振器１０２、電力生成部１０３、整合回路１０４、通信部１０５、給電アンテナ１０６、ＣＰＵ１０７、ＲＯＭ１０８、ＲＡＭ１０９、表示部１１０、操作部１１１及び検出部１１２を含む。
変換部１０１は、不図示のＡＣ電源と給電装置１００とが接続されている場合、不図示のＡＣ電源から供給される交流電力を直流電力に変換し、変換した直流電力を給電装置１００に供給する。
【００１２】
発振器１０２は、変換部１０１から供給される電力をＣＰＵ１０７によって設定された目標電力に変換するように電力生成部１０３を制御するために用いられる周波数を発振する。なお、発振器１０２は、水晶振動子等を用いる。
電力生成部１０３は、変換部１０１から供給される電力と、発振器１０２によって発振される周波数とに基づいて、給電アンテナ１０６を介して外部に出力するための電力を生成する。なお、電力生成部１０３によって生成された電力は、検出部１１２を介して整合回路１０４に供給される。
【００１３】
電力生成部１０３によって生成される電力には、第１の電力と、第２の電力とがある。第１の電力は、通信部１０５が給電アンテナ１０６を介して電子機器２００と通信を行うために用いられる電力である。第２の電力は、電子機器２００に電池２０９の充電や所定の処理を行わせるために用いられる電力である。例えば、第１の電力は、１Ｗ以下の電力であり、第２の電力は、２Ｗ以上の電力である。なお、第１の電力は、第２の電力よりも低い電力であるものとする。また、第１の電力は、通信部１０５の通信規格において規定されている電力であってもよい。また、第１の電力は、１Ｗ以下の電力に限られないものとする。また、第２の電力は、電子機器２００に電池２０９の充電や所定の処理を行わせるために用いられる電力であれば、２Ｗ以上の電力に限られないものとする。
【００１４】
整合回路１０４は、給電アンテナ１０６と、電子機器２００の受電アンテナ２０１との間で共振を行うための共振回路である。また、整合回路１０４は、電力生成部１０３と給電アンテナ１０６との間のインピーダンスマッチングを行うための回路を含む。整合回路１０４には、不図示のコイルや不図示のコンデンサが含まれる。
【００１５】
給電装置１００が第１の電力及び第２の電力のいずれか一つを出力する場合、ＣＰＵ１０７は、給電アンテナ１０６と、受電アンテナ２０１との間で共振を行うために、給電アンテナ１０６の共振周波数ｆが所定の周波数になるように整合回路１０４を制御する。この場合、ＣＰＵ１０７は、整合回路１０４に含まれるコイルの値やコンデンサの値を制御することで、給電アンテナ１０６の共振周波数ｆを変更する。なお、所定の周波数は、例えば、１３．５６ＭＨｚの周波数であるものとする。
【００１６】
通信部１０５は、例えば、ＮＦＣ（Ｎｅａｒ  Ｆｉｅｌｄ  Ｃｏｍｍｕｎｉｃａｔｉｏｎ）フォーラムによって規定されているＮＦＣ規格に基づいて、近接無線通信を行う。通信部１０５は、第１の電力が給電アンテナ１０６から出力されている場合、給電アンテナ１０６を介して電子機器２００と無線給電を行うためのデータの送受信を行うことができる。しかし、第２の電力が給電アンテナ１０６から出力されている期間において、通信部１０５は、給電アンテナ１０６を介して電子機器２００と通信を行わないものとする。通信部１０５は、第１の電力が給電アンテナ１０６から出力されている場合、第１の電力にデータを重畳することによって電子機器２００にデータを送信する。電子機器２００は、データを給電装置１００に送信する場合、電子機器２００の内部の負荷を変調するので、給電アンテナ１０６に流れる電流が変化する。そのため、通信部１０５は、給電アンテナ１０６に流れる電流を検出し、その検出結果を解析することによって、電子機器２００からデータを受信することができる。
【００１７】
なお、通信部１０５と電子機器２００との間で伝送されるデータは、ＮＤＥＦ（ＮＦＣ  Ｄａｔａ  Ｅｘｃｈａｎｇｅ  Ｆｏｒｍａｔ）に対応するデータである。
給電アンテナ１０６は、電力生成部１０３により生成された電力を外部に出力するためのアンテナである。給電装置１００は、給電アンテナ１０６を介して電子機器２００に電力を供給したり、給電アンテナ１０６を介して電子機器２００にデータを送信したりする。また、給電装置１００は、給電アンテナ１０６を介して、電子機器２００からデータを受信する。
【００１８】
ＣＰＵ（Ｃｅｎｔｒａｌ  Ｐｒｏｃｅｓｓｉｎｇ  Ｕｎｉｔ）１０７は、ＲＯＭ１０８に記憶されているコンピュータプログラムを実行することによって、給電装置１００を制御する。ＣＰＵ１０７は、電力生成部１０３を制御することによって電子機器２００に供給する電力を制御する。ＣＰＵ１０７は、タイマー１０７ａを有する。
ＲＯＭ１０８は、給電装置１００を制御するコンピュータプログラム及び給電装置１００に関するパラメータ等の情報を記憶する。
ＲＡＭ１０９は、通信部１０５によって電子機器２００から取得されたデータを記録する。
【００１９】
表示部１１０は、ＲＡＭ１０９及びＲＯＭ１０８のいずれか一つから供給される映像データを表示する。また、ユーザに対する警告表示を行う。表示部１１０は、発光ダイオードなどを含むＬＥＤ１１３を有する。ＣＰＵ１０７は、給電装置１００によって行われる動作に応じて、ＬＥＤ１１３を発光させる。
操作部１１１は、給電装置１００を操作するためのユーザインターフェースを提供する。操作部１１１は、給電装置１００の電源ボタン及び給電装置１００のモード切換ボタン等を有し、各ボタンはスイッチ、タッチパネル等により構成される。ＣＰＵ１０７は、操作部１１１を介して入力された入力信号に従って給電装置１００を制御する。
【００２０】
検出部１１２は、給電装置１００と電子機器２００との共振の状態を検出するために、電圧定在波比ＶＳＷＲ（Ｖｏｌｔａｇｅ  Ｓｔａｎｄｉｎｇ  Ｗａｖｅ  Ｒａｔｉｏ）を検出する。さらに、検出部１１２は、検出したＶＳＷＲを示すデータをＣＰＵ１０７に供給する。ＶＳＷＲは、給電アンテナ１０６から出力される電力の進行波と、給電アンテナ１０６から出力される電力の反射波との関係を示す値である。ＣＰＵ１０７は、検出部１１２から供給されたＶＳＷＲを示すデータを用いて、給電装置１００の近傍に物体が置かれたか否かを検出することができる。
【００２１】
（電子機器２００）
次に、図３を参照して、電子機器２００の構成の一例について説明を行う。電子機器２００は、受電アンテナ２０１、整合回路２０２、整流平滑回路２０３、通信部２０４、レギュレータ２０５、ＣＰＵ２０６、メモリ２０７を有する。さらに、電子機器２００は、充電部２０８、電池２０９、システム部２１０、操作部２１３及びタイマー２１４を有する。
【００２２】
受電アンテナ２０１は、給電装置１００から供給される電力を受電するためのアンテナである。電子機器２００は、受電アンテナ２０１を介して、給電装置１００から電力を受電する。また、電子機器２００は、受電アンテナ２０１を介して、給電装置１００と無線通信を行う。
整合回路２０２は、給電アンテナ１０６の共振周波数ｆと同じ周波数に応じて、給電アンテナ１０６と受電アンテナ２０１との間で共振するための共振回路である。また、整合回路２０２は、受電アンテナ２０１と整流平滑回路２０３との間のインピーダンスマッチングを行うための回路を含む。整合回路２０２には、不図示のコイルや不図示のコンデンサが含まれる。ＣＰＵ２０６は、受電アンテナ２０１の共振周波数を給電アンテナ１０６の共振周波数ｆと同じ周波数にするために、整合回路２０２に含まれるコイルの値やコンデンサの値を制御する。また、整合回路２０２は、受電アンテナ２０１によって受電される電力を整流平滑回路２０３に供給する。
【００２３】
整流平滑回路２０３は、整合回路２０２から供給される電力からデータ及びノイズを取り除き、直流電力を生成する。さらに、整流平滑回路２０３は、生成した直流電力をレギュレータ２０５に供給する。整流平滑回路２０３は、受電アンテナ２０１によって受電される電力から取り除いたデータを通信部２０４に供給する。
【００２４】
通信部２０４は、通信部１０５と同じ通信プロトコルに応じて、給電装置１００等の外部装置と無線通信を行う。通信部２０４は、整流平滑回路２０３から供給されたデータを解析し、データの解析結果をＣＰＵ２０６に供給する。給電装置１００から電子機器２００に第１の電力が供給されている場合、通信部２０４は、受信したデータに対する応答データを給電装置１００に送信する。この場合、通信部２０４は、受信したデータに対する応答データを給電装置１００に送信するために通信部２０４に含まれる負荷を変動させる。なお、通信部２０４は、メモリ２０４ａを有する。
【００２５】
メモリ２０４ａには、無線給電用データ群４００が格納されている。図４に無線給電用データ群４００を示す。無線給電用データ群４００には、給電装置１００と電子機器２００との間で伝送されるデータが格納される。無線給電用データ群４００には、デバイス情報４０１、給電ステータス情報４０２及び受電ステータス情報４０３が格納される。デバイス情報４０１、給電ステータス情報４０２及び受電ステータス情報４０３は、ＮＤＥＦに対応するデータである。
【００２６】
デバイス情報４０１には、電子機器２００を識別するための情報、電子機器２００の対応している給電方式を識別する情報及び電子機器２００のパワークラスを示す情報等が含まれる。さらに、デバイス情報４０１には、電子機器２００の対応している給電方式の数を示す情報が含まれる。そのため、電子機器２００の対応している給電方式が複数の場合、デバイス情報４０１には、電子機器２００の対応している給電方式が複数であることを示す情報が含まれる。さらに、デバイス情報４０１には、給電装置１００から受電ステータス情報４０３が要求されてから受電ステータス情報４０３を電子機器２００が給電装置１００に送信するまでの時間である応答時間を示す情報が含まれる。
【００２７】
さらに、デバイス情報４０１には、時間情報４０１ａが含まれる。時間情報４０１ａは、受電ステータス情報４０３の更新が開始されてから受電ステータス情報４０３の更新が完了するまでに必要であると予測される時間を示す。時間情報４０１ａは、給電装置１００が受電ステータス情報４０３を電子機器２００に要求するタイミングを制御するために用いられる。なお、受電ステータス情報４０３の更新については、後述する。
【００２８】
電子機器２００のパワークラスを示す情報とは、電子機器２００が給電装置１００から受電できる電力の最大値を示す情報である。例えば、電子機器２００が給電装置１００から受電できる電力の最大値が１Ｗである場合、電子機器２００のパワークラスを示す情報は、電子機器２００がローパワークラスに対応することを示す情報となる。例えば、電子機器２００が給電装置１００から受電できる電力の最大値が３Ｗである場合、電子機器２００のパワークラスを示す情報は、電子機器２００がミドルパワークラスに対応することを示す情報となる。例えば、電子機器２００が給電装置１００から受電できる電力の最大値が６Ｗである場合、電子機器２００のパワークラスを示す情報は、電子機器２００がハイパワークラスに対応することを示す情報となる。
【００２９】
デバイス情報４０１は、給電装置１００によってメモリ２０４ａの無線給電用データ群４００から読み出される情報である。なお、デバイス情報４０１は、あらかじめメモリ２０４ａに格納されている固定のデータである。
給電ステータス情報４０２には、給電装置１００が電子機器２００への無線給電を開始するか、停止するかを示す情報、給電装置１００にエラーが発生しているか否かを示す情報及び第１の更新データ４０２ａが含まれる。給電ステータス情報４０２には、さらに、第２の電力を出力する期間を示す情報が含まれていても良い。さらに、給電ステータス情報４０２には、給電装置１００の対応している給電方式を識別するための情報及び給電装置１００の対応している給電方式の数を示す情報が含まれる。さらに、給電ステータス情報４０２には、給電装置１００のパワークラスを示す情報が含まれる。
【００３０】
給電装置１００のパワークラスを示す情報とは、給電装置１００が出力できる電力の最大値を示す情報である。例えば、給電装置１００が出力できる電力の最大値が３Ｗである場合、給電装置１００のパワークラスを示す情報は、給電装置１００がローパワークラスに対応することを示す情報となる。例えば、給電装置１００が出力できる電力の最大値が１０Ｗである場合、給電装置１００のパワークラスを示す情報は、給電装置１００がミドルパワークラスに対応することを示す情報となる。例えば、給電装置１００が出力できる電力の最大値が２０Ｗである場合、給電装置１００のパワークラスを示す情報は、給電装置１００がハイパワークラスに対応することを示す情報となる。なお、第１の更新データ４０２ａについては後述する。
【００３１】
給電ステータス情報４０２は、給電装置１００によってメモリ２０４ａの無線給電用データ群４００に書き込まれる情報である。給電ステータス情報４０２がメモリ２０４ａに格納された後、ＣＰＵ２０６は、給電ステータス情報４０２を読み出すことによって、給電ステータス情報４０２に応じて、電子機器２００を制御することができる。
【００３２】
受電ステータス情報４０３には、第２の更新データ４０３ａ及び所定のデータ４０３ｂが含まれる。所定のデータ４０３ｂは、第２の更新データ４０３ａと異なるデータである。所定のデータ４０３ｂは、電子機器２００にエラーが発生しているか否かを示す情報及び電子機器２００が給電装置１００に無線給電を要求するか否かを示す情報を含む。所定のデータ４０３ｂには、さらに、電子機器２００に供給する電力を増加するように給電装置１００に要求するための情報、電子機器２００に供給する電力を減少するように給電装置１００に要求するための情報のいずれか一つが含まれていても良い。
【００３３】
所定のデータ４０３ｂには、さらに、電子機器２００に供給する電力を現状のまま維持するように給電装置１００に要求するための情報が含まれていても良い。また、所定のデータ４０３ｂには、電池２０９の残容量に関する情報や電池２０９の充電に関する情報がさらに含まれていても良い。なお、第２の更新データ４０３ａについては後述する。
受電ステータス情報４０３は、ＣＰＵ２０６によってメモリ２０４ａの無線給電用データ群４００に書き込まれ、定期的に更新される。受電ステータス情報４０３は、給電装置１００によってメモリ２０４ａの無線給電用データ群４００から読み出される情報である。なお、受電ステータス情報４０３は、電子機器２００の現在の状態を示す情報として、ＣＰＵ２０６によって定期的に更新されるデータである。
【００３４】
なお、通信部２０４は、ＣＰＵ２０６によりも消費電力が小さい。通信部２０４は、給電装置１００から第１の電力が出力されている間、受電アンテナ２０１によって給電装置１００から受電された電力を用いて通信部１０５と通信を行うことができる。
【００３５】
レギュレータ２０５は、整流平滑回路２０３及び電池２０９のいずれか一つから供給される電力を電子機器２００に供給するように制御する。レギュレータ２０５は、ＣＰＵ２０６からの指示に応じて、整流平滑回路２０３を介して給電装置１００から供給される電力を電子機器２００に供給する。レギュレータ２０５は、ＣＰＵ２０６からの指示に応じて、充電部２０８を介して電池２０９から供給される放電電力を電子機器２００に供給する。
【００３６】
ＣＰＵ２０６は、通信部２０４から供給されたデータの解析結果に応じて、電子機器２００を制御する。また、ＣＰＵ２０６は、メモリ２０７に記憶されているコンピュータプログラムを実行することによって、電子機器２００を制御する。
ＣＰＵ２０６は、電子機器２００の各部から供給される情報に応じて、受電ステータス情報４０３を定期的に更新する。なお、ＣＰＵ２０６は、電池２０９及び整流平滑回路２０３のいずれか一つから十分な電力が供給されている場合で、かつ、ＣＰＵ２０６にエラーが発生していない場合、受電ステータス情報４０３の更新を行うことができる。しかしながら、ＣＰＵ２０６は、電池２０９及び整流平滑回路２０３から十分な電力が供給されていない場合、受電ステータス情報４０３を更新することができない。また、ＣＰＵ２０６は、電池２０９及び整流平滑回路２０３のいずれか一つから十分な電力が供給されているが、ＣＰＵ２０６にエラーが発生している場合、受電ステータス情報４０３を更新することができない。
【００３７】
ＣＰＵ２０６は、受電ステータス情報４０３の更新を行うための処理として、以下の処理を行う。まず、ＣＰＵ２０６は、無線給電用データ群４００に書き込まれた給電ステータス情報４０２を読み出す。次に、ＣＰＵ２０６は、電子機器２００の各部から通知された情報に基づいて、所定のデータ４０３ｂの更新を行う。ＣＰＵ２０６は、所定のデータ４０３ｂの更新が完了した後、給電ステータス情報４０２から取得した第１の更新データ４０２ａに特定の値を加算することによって、第２の更新データ４０３ａを取得する。さらに、ＣＰＵ２０６は、第２の更新データ４０３ａ及び所定のデータ４０３ｂを受電ステータス情報４０３として、無線給電用データ群４００に書き込む。以上の処理が行われることによって、受電ステータス情報４０３の更新は完了する。なお、ＣＰＵ２０６は、所定のデータ４０３ｂの更新が完了していない場合、第１の更新データ４０２ａに特定の値を加算しない。
【００３８】
例えば、第１の更新データ４０２ａが「Ｎ」で、特定の値が「１」である場合について、説明を行う。ＣＰＵ２０６は、所定のデータ４０３ｂの更新が完了した後に、「Ｎ」に「１」を加算する。その後、ＣＰＵ２０６は、更新が完了した所定のデータ４０３ｂ及び「Ｎ＋１」（第２の更新データ４０３ａ）を受電ステータス情報４０３として無線給電用データ群４００に書き込む。所定のデータ４０３ｂの更新が完了していない場合、無線給電用データ群４００には、更新されていない所定のデータ４０３ｂ及び第１の更新データ４０２ａと同じ「Ｎ」（第２の更新データ４０３ａ）が受電ステータス情報４０３として格納される。
【００３９】
メモリ２０７は、電子機器２００を制御するコンピュータプログラムを記憶する。また、メモリ２０７には、電子機器２００に関する情報等が記録される。
充電部２０８は、レギュレータ２０５から供給される電力を用いて、電池２０９の充電を行う。また、充電部２０８は、レギュレータ２０５から電力が供給されない場合、電池２０９から供給される放電電力をレギュレータ２０５に供給する。充電部２０８は、電池２０９に関する情報や電池２０９の充電に関する情報を定期的に検出し、検出した情報をＣＰＵ２０６に通知する。
【００４０】
電池２０９は、電子機器２００に着脱可能な電池である。また、電池２０９は、充電可能な二次電池である。
システム部２１０は、記録部２１１及び撮像部２１２を有する。
記録部２１１は、撮像部２１２から供給された映像データや音声データ等のデータを記録媒体２１１ａに記録する。また、記録部２１１は、映像データや音声データ等のデータを記録媒体２１１ａから読み出す。なお、記録媒体２１１ａは、ハードディスクやメモリカード等であってもよく、電子機器２００に内蔵されていても、電子機器２００に着脱可能な外部の記録媒体であってもよい。
【００４１】
撮像部２１２は、被写体の光学像から映像データを生成するための撮像素子、撮像素子で生成された映像データに対して画像処理を行う画像処理回路及び映像データを圧縮したり、圧縮された映像データを伸長したりするための圧縮伸長回路等を有する。撮像部２１２は、被写体の撮影を行い、撮影の結果により得られた静止画像や動画像等の映像データを記録部２１１に供給する。記録部２１１は、撮像部２１２から供給された映像データを記録媒体２１１ａに記録する。撮像部２１２は、被写体の撮影を行うための必要な構成をさらに有していてもよい。
【００４２】
なお、システム部２１０は、電子機器２００が電源オンにされた場合にレギュレータ２０５から電力が供給される手段を含むものである。そのため、システム部２１０は、記録部２１１、記録媒体２１１ａ、及び撮像部２１２以外に映像データを表示するための表示手段やメールの送受信を行うための手段等をさらに含むものであってもよい。
【００４３】
操作部２１３は、電子機器２００を操作するためのユーザインターフェースである。操作部２１３は、電子機器２００を操作するための電源ボタン及び電子機器２００のモードを切り換えるモード切換ボタン等を有し、各ボタンはスイッチ、タッチパネル等により構成される。ユーザによって操作部２１３が操作された場合、操作部２１３は、ユーザによって行われた操作に対応する信号をＣＰＵ２０６に供給する。なお、操作部２１３は、不図示のリモートコントローラから受信したリモコン信号に応じて電子機器２００を制御するものであってもよい。
【００４４】
タイマー２１４は、電子機器２００の各部で行われる処理に関する時間を測定する。
なお、給電アンテナ１０６及び受電アンテナ２０１は、ヘリカルアンテナであっても、ループアンテナであってもよく、メアンダラインアンテナ等の平面状のアンテナであってもよいものとする。
【００４５】
実施例１において、給電装置１００は、磁界共鳴方式に基づいて、電子機器２００に無線給電を行うようにしたが、これに限られるものではない。
例えば、給電装置１００は、磁界共鳴方式の代わりに、電界結合に基づいて、電子機器２００に無線給電を行うようにしてもよい。この場合、給電装置１００に電極を設け、電子機器２００に電極を設ける必要があり、給電装置１００の電極から電子機器２００の電極に電力が無線により供給される。
【００４６】
また、例えば、給電装置１００は、磁界共鳴方式の代わりに、電磁誘導に基づいて、電子機器２００に無線給電を行うようにしてもよい。
給電装置１００は、無線により電力を電子機器２００に供給するようにした。しかし、「無線」を「非接触」や「無接点」と言い換えてもよいものとする。
【００４７】
（給電処理）
次に、実施例１において、ＣＰＵ１０７によって行われる給電処理について、図５のフローチャートを用いて説明する。給電処理は、ＣＰＵ１０７がＲＯＭ１０８に格納されているコンピュータプログラムを実行することにより実現することができる。
給電装置１００の電源がオンにされた場合、Ｓ５０１において、ＣＰＵ１０７は、第１の電力を給電アンテナ１０６を介して出力するように発振器１０２、電力生成部１０３及び整合回路１０４の少なくとも一つを制御する。この場合、本フローチャートは、Ｓ５０２に進む。
【００４８】
Ｓ５０２において、通信部１０５は、通信部２０４との無線通信を行うための認証を行う。この場合、本フローチャートは、Ｓ５０３に進む。
Ｓ５０３において、通信部１０５は、通信部２０４との無線通信を行うための認証が完了したか否かを判定する。通信部２０４との無線通信を行うための認証が完了した場合（Ｓ５０３でＹＥＳ）、本フローチャートは、Ｓ５０５に進む。通信部２０４との無線通信を行うための認証が完了していない場合（Ｓ５０３でＮＯ）、本フローチャートは、Ｓ５０４に進む。通信部２０４との無線通信を行うための認証が完了した場合（Ｓ５０３でＹＥＳ）、通信部１０５は、通信部２０４との通信リンクを確立する。さらに、通信部２０４との無線通信を行うための認証が完了した場合（Ｓ５０３でＹＥＳ）、通信部１０５は、通信部２０４との通信リンクを確立したことをＣＰＵ１０７に通知する。通信部１０５と通信部２０４との通信リンクが確立されている間、通信部１０５は、ＮＤＥＦに対応するデータを通信部２０４から受信したり、ＮＤＥＦに対応するデータを通信部２０４に送信することができる。
【００４９】
通信部２０４との無線通信を行うための認証が完了していない場合（Ｓ５０３でＮＯ）、通信部１０５は、通信部２０４との通信リンクを確立できない。通信部１０５と通信部２０４との通信リンクが確立されていない場合、通信部１０５は、ＮＤＥＦに対応するデータを通信部２０４から受信することができず、ＮＤＥＦに対応するデータを通信部２０４に送信することもできない。
【００５０】
Ｓ５０４において、ＣＰＵ１０７は、給電アンテナ１０６を介した電力の出力を停止するように発振器１０２、電力生成部１０３及び整合回路１０４の少なくとも一つを制御する。この場合、本フローチャートは、終了する。なお、ＣＰＵ１０７は、Ｓ５０４の処理を行ってから一定の時間が経過した後、再び、Ｓ５０１の処理を行うようにしても良い。
Ｓ５０５において、ＣＰＵ１０７は、デバイス情報４０１を取得するための第１のコマンドを電子機器２００に送信するように通信部１０５を制御する。この場合、本フローチャートは、Ｓ５０６に進む。
【００５１】
通信部２０４は、第１のコマンドを受信した場合、無線給電用データ群４００から読み出されたデバイス情報４０１を第１のコマンドの応答データとして給電装置１００に送信する。そこで、Ｓ５０６において、ＣＰＵ１０７は、第１のコマンドの応答データとして、デバイス情報４０１を通信部１０５が受信したか否かを判定する。通信部１０５は、デバイス情報４０１を受信した場合、受信したデバイス情報４０１をＲＡＭ１０９に記録した後、デバイス情報４０１の読み出しが完了したことをＣＰＵ１０７に通知する。
【００５２】
このため、ＣＰＵ１０７は、デバイス情報４０１の読み出しが完了したことを通信部１０５から通知された場合、デバイス情報４０１を通信部１０５が受信したと判定する（Ｓ５０６でＹＥＳ）。この場合（Ｓ５０６でＹＥＳ）、本フローチャートは、Ｓ５０７に進む。通信部１０５は、デバイス情報４０１を受信していない場合、デバイス情報４０１の読み出しが完了したことをＣＰＵ１０７に通知しない。このため、ＣＰＵ１０７は、デバイス情報４０１の読み出しが完了したことを通信部１０５から通知されなかった場合、デバイス情報４０１を通信部１０５が受信していないと判定する（Ｓ５０６でＮＯ）。この場合（Ｓ５０６でＮＯ）、本フローチャートは、Ｓ５０４に進む。
【００５３】
Ｓ５０７において、ＣＰＵ１０７は、電子機器２００が無線給電に対応しているか否かを判定する。ＣＰＵ１０７は、ＲＡＭ１０９に記録されたデバイス情報４０１を用いて、電子機器２００が無線給電に対応しているか否かを判定する。電子機器２００が無線給電に対応している場合（Ｓ５０７でＹＥＳ）、本フローチャートは、Ｓ５０８に進む。電子機器２００が無線給電に対応していない場合（Ｓ５０７でＮＯ）、本フローチャートは、Ｓ５０４に進む。
【００５４】
Ｓ５０８において、ＣＰＵ１０７は、ＲＡＭ１０９に記録されたデバイス情報４０１から時間情報４０１ａを取得し、時間情報４０１ａに示されている時間を確認する。さらに、ＣＰＵ１０７は、時間情報４０１ａに示される時間をタイマー１０７ａによって計測される時間に対する閾値として設定する。タイマー１０７ａによって計測される時間に対する閾値を以下「所定の時間」と呼ぶ。この場合、本フローチャートは、Ｓ５０９に進む。
【００５５】
Ｓ５０９において、ＣＰＵ１０７は、給電ステータス情報４０２を生成し、生成された給電ステータス情報４０２を含む第２のコマンドを電子機器２００に送信するように通信部１０５を制御する。Ｓ５０９において、ＣＰＵ１０７によって生成される給電ステータス情報４０２には、給電装置１００が電子機器２００への無線給電を開始することを示す情報、給電装置１００にエラーが発生していないことを示す情報、及び第１の更新データ４０２ａが含まれる。第１の更新データ４０２ａは、受電ステータス情報４０３の更新がＣＰＵ２０６によって行われたか否かを判定するために用いられる。
【００５６】
なお、第１の更新データ４０２ａは、ランダムに生成される値であっても良く、あらかじめ決められている値であっても良い。ＣＰＵ１０７は、ＲＡＭ１０９に格納されている第１の更新データ４０２ａを読み出して給電ステータス情報４０２を生成する。Ｓ５０９において電子機器２００に送信される第１の更新データ４０２ａが「Ｎ」であるものとして、以下説明を行う。なお、「Ｎ」は、自然数であるものとする。第２のコマンドは、給電ステータス情報４０２を無線給電用データ群４００に書き込むためのコマンドである。第２のコマンドが通信部１０５によって送信された場合、本フローチャートは、Ｓ５１０に進む。
【００５７】
通信部２０４は、第２のコマンドを受信した場合、第２のコマンドに含まれる給電ステータス情報４０２を無線給電用データ群４００に書き込む。給電ステータス情報４０２が無線給電用データ群４００に書き込まれた後、通信部２０４は、給電ステータス情報４０２の無線給電用データ群４００への書き込みが完了したことを示すデータを第２のコマンドの応答データとして給電装置１００に送信する。
【００５８】
そこで、Ｓ５１０において、ＣＰＵ１０７は、第２のコマンドの応答データを通信部１０５が受信したか否かを判定する。通信部１０５は、第２のコマンドの応答データを受信した場合、第２のコマンドの応答データを受信したことをＣＰＵ１０７に通知する。このため、ＣＰＵ１０７は、第２のコマンドの応答データを受信したことを通信部１０５から通知された場合、第２のコマンドの応答データを通信部１０５が受信したと判定する（Ｓ５１０でＹＥＳ）。この場合（Ｓ５１０でＹＥＳ）、本フローチャートは、Ｓ５１１に進む。第２のコマンドの応答データを通信部１０５が受信したと判定された場合（Ｓ５１０でＹＥＳ）、ＣＰＵ１０７は、第２のコマンドの応答データを受信したことが通信部１０５から通知されてから経過した時間を計測するようにタイマー１０７ａを制御する。
【００５９】
通信部１０５は、第２のコマンドの応答データを受信していない場合、第２のコマンドの応答データを受信するまで、第２のコマンドの応答データを受信したことをＣＰＵ１０７に通知しない。このため、ＣＰＵ１０７は、第２のコマンドの応答データを受信したことを通信部１０５から通知されなかった場合、第２のコマンドの応答データを通信部１０５が受信していないと判定する（Ｓ５１０でＮＯ）。この場合（Ｓ５１０でＮＯ）、本フローチャートは、Ｓ５０４に進む。
【００６０】
第２のコマンドの応答データを通信部１０５が受信したと判定された場合（Ｓ５１０でＹＥＳ）、給電装置１００は、電子機器２００への給電を制御するために、電子機器２００の状態を示す情報として、正しい受電ステータス情報４０３を取得する必要があった。給電装置１００は、電子機器２００の状態を示す情報として正しくない受電ステータス情報４０３を用いて、電子機器２００への給電を制御してしまうと、電子機器２００に所望の電力を供給することができない場合があった。このような事態を防止するために、給電装置１００は、以下のＳ５１１からＳ５１４までの処理を行う。
【００６１】
電子機器２００は、第２のコマンドの応答データが通信部２０４によって給電装置１００に送信された後、受電ステータス情報４０３の更新を開始する。そのため、給電装置１００は、受電ステータス情報４０３の更新が完了する前に、受電ステータス情報４０３を電子機器２００に要求してしまうと、更新が行われていない受電ステータス情報４０３を電子機器２００から取得してしまう場合があった。この場合、給電装置１００は、電子機器２００から取得した受電ステータス情報４０３を用いて電子機器２００への給電を制御したとしても、電子機器２００に所望の電力を供給することができなかった。
そこで、給電装置１００は、受電ステータス情報４０３の更新が完了した後に、受電ステータス情報４０３を電子機器２００に要求するために、Ｓ５１１及びＳ５１２の処理を行う。
【００６２】
Ｓ５１１において、ＣＰＵ１０７は、第２のコマンドの応答データを受信したことが通信部１０５から通知されてから所定の時間が経過したか否かを判定する。Ｓ５１１における所定の時間は、Ｓ５０８でＣＰＵ１０７によって設定された時間である。ＣＰＵ１０７は、タイマー１０７ａによって計測された時間が所定の時間以上である場合、第２のコマンドの応答データを受信したことが通信部１０５から通知されてから所定の時間が経過したと判定する（Ｓ５１１でＹＥＳ）。この場合（Ｓ５１１でＹＥＳ）、本フローチャートは、Ｓ５１２に進む。この場合（Ｓ５１１でＹＥＳ）、ＣＰＵ１０７は、電子機器２００による受電ステータス情報４０３の更新が完了したと判定する。
【００６３】
ＣＰＵ１０７は、タイマー１０７ａによって計測された時間が所定の時間以上でない場合、第２のコマンドの応答データを受信したことが通信部１０５から通知されてから所定の時間が経過していないと判定する（Ｓ５１１でＮＯ）。この場合（Ｓ５１１でＮＯ）、ＣＰＵ１０７は、電子機器２００による受電ステータス情報４０３の更新が完了していないと判定する。この場合（Ｓ５１１でＮＯ）、ＣＰＵ１０７は、タイマー１０７ａによって計測された時間が所定の時間以上になるまで、Ｓ５１１の処理を繰り返し行う。
【００６４】
所定の時間が経過した後（Ｓ５１１でＹＥＳ）、Ｓ５１２において、ＣＰＵ１０７は、受電ステータス情報４０３を要求するための第３のコマンドを電子機器２００に送信するように通信部１０５を制御する。その後、本フローチャートは、Ｓ５１３に進む。なお、ＣＰＵ１０７は、所定の時間が経過したと判定される（Ｓ５１１でＹＥＳ）までは、第３のコマンドを電子機器２００に送信しないように通信部１０５を制御する。
通信部２０４は、第３のコマンドを給電装置１００から受信した場合、無線給電用データ群４００内の受電ステータス情報４０３を第３のコマンドの応答データとして応答時間内に給電装置１００に送信する。
【００６５】
そこで、Ｓ５１３において、ＣＰＵ１０７は、第３のコマンドが送信されてから応答時間が経過するまでに、第３のコマンドの応答データとして、受電ステータス情報４０３を通信部１０５が受信したか否かを判定する。Ｓ５１３における応答時間は、デバイス情報４０１に含まれる情報から取得される。通信部１０５は、応答時間が経過するまでに受電ステータス情報４０３を受信した場合、受信した受電ステータス情報４０３をＲＡＭ１０９に記録した後、受電ステータス情報４０３の読み出しが完了したことをＣＰＵ１０７に通知する。
【００６６】
このため、ＣＰＵ１０７は、受電ステータス情報４０３の読み出しが完了したことを通信部１０５から通知された場合、受電ステータス情報４０３を通信部１０５が受信したと判定する（Ｓ５１３でＹＥＳ）。この場合（Ｓ５１３でＹＥＳ）、本フローチャートは、Ｓ５１４に進む。通信部１０５は、応答時間が経過した場合であっても、受電ステータス情報４０３を受信していない場合、受電ステータス情報４０３の読み出しが完了したことをＣＰＵ１０７に通知しない。このため、ＣＰＵ１０７は、受電ステータス情報４０３の読み出しが完了したことを通信部１０５から通知されなかった場合、受電ステータス情報４０３を通信部１０５が受信していないと判定する（Ｓ５１３でＮＯ）。この場合（Ｓ５１３でＮＯ）、本フローチャートは、Ｓ５０４に進む。
【００６７】
ＣＰＵ２０６によって受電ステータス情報４０３の更新が完了した場合、通信部２０４は、更新が完了した受電ステータス情報４０３を第３のコマンドの応答データとして給電装置１００に送信する。しかしながら、ＣＰＵ２０６によって受電ステータス情報４０３の更新が開始されていない場合、通信部２０４は、更新されていない受電ステータス情報４０３を第３のコマンドの応答データとして給電装置１００に送信する。また、ＣＰＵ２０６によって受電ステータス情報４０３の更新が完了していない場合、通信部２０４は、更新されていない受電ステータス情報４０３を第３のコマンドの応答データとして給電装置１００に送信する。
【００６８】
そこで、給電装置１００は、電子機器２００から取得した受電ステータス情報４０３が電子機器２００の状態を示す情報として正しい情報であるか否かを判定するために、Ｓ５１４の処理を行う。
Ｓ５１４において、ＣＰＵ１０７は、受電ステータス情報４０３の更新が電子機器２００によって行われたか否かを判定する。
【００６９】
例えば、ＣＰＵ１０７は、ＲＡＭ１０９内の受電ステータス情報４０３を解析し、受電ステータス情報４０３に含まれる第２の更新データ４０３ａを取得する。その後、ＣＰＵ１０７は、第２の更新データ４０３ａを用いて、受電ステータス情報４０３の更新が電子機器２００によって行われたか否かを判定する。この場合、ＣＰＵ１０７は、Ｓ５０９で送信された給電ステータス情報４０２に含まれる第１の更新データ４０２ａと、Ｓ５１３で受信された受電ステータス情報４０３に含まれる第２の更新データ４０３ａとが一致するか否かを判定する。
【００７０】
第１の更新データ４０２ａと第２の更新データ４０３ａとが一致する場合、ＣＰＵ１０７は、受電ステータス情報４０３の更新が電子機器２００によって行われていないと判定する。また、第１の更新データ４０２ａと第２の更新データ４０３ａとが一致しない場合、ＣＰＵ１０７は、受電ステータス情報４０３の更新が電子機器２００によって行われたと判定する。例えば、第１の更新データ４０２ａが「Ｎ」であり、第２の更新データ４０３ａが「Ｎ」である場合、ＣＰＵ１０７は、受電ステータス情報４０３の更新が電子機器２００によって行われていないと判定する。また、第１の更新データ４０２ａが「Ｎ」であり、第２の更新データ４０３ａが「Ｎ＋１」である場合、ＣＰＵ１０７は、受電ステータス情報４０３の更新が電子機器２００によって行われたと判定する。
【００７１】
受電ステータス情報４０３の更新が電子機器２００によって行われた場合（Ｓ５１４でＹＥＳ）、ＣＰＵ１０７は、Ｓ５１３で取得した受電ステータス情報４０３が電子機器２００の状態を示す情報として正しいと判定する。この場合（Ｓ５１４でＹＥＳ）、本フローチャートは、Ｓ５１５に進む。
【００７２】
受電ステータス情報４０３の更新が電子機器２００によって行われていない場合（Ｓ５１４でＮＯ）、ＣＰＵ１０７は、Ｓ５１３で取得した受電ステータス情報４０３が電子機器２００の状態を示す情報として正しくないと判定する。この場合（Ｓ５１４でＮＯ）、本フローチャートは、Ｓ５０４に進む。この場合（Ｓ５１４でＮＯ）、ＣＰＵ１０７は、Ｓ５１３で取得した受電ステータス情報４０３を電子機器２００への無線給電を制御するために用いないようにする。
【００７３】
受電ステータス情報４０３の更新が電子機器２００によって行われた場合（Ｓ５１４でＹＥＳ）、ＣＰＵ１０７は、ＲＡＭ１０９に格納されている第１の更新データ４０２ａを消去する。さらに、ＣＰＵ１０７は、受電ステータス情報４０３に含まれる第２の更新データ４０３ａを第１の更新データ４０２ａとしてＲＡＭ１０９に格納する。この場合、第２の更新データ４０３ａが「Ｎ＋１」である場合、ＣＰＵ１０７は、ＲＡＭ１０９に第１の更新データ４０２ａとして「Ｎ＋１」を格納する。
【００７４】
Ｓ５１５において、ＣＰＵ１０７は、電子機器２００から取得した受電ステータス情報４０３を用いて、電子機器２００への給電を行うか否かを制御する。例えば、受電ステータス情報４０３に、電子機器２００が給電装置１００に給電を要求しないことを示す情報が含まれている場合、ＣＰＵ１０７は、電子機器２００への給電を行わないと判定する。受電ステータス情報４０３に、電池２０９が満充電であることを示す情報が含まれている場合、ＣＰＵ１０７は、電子機器２００への給電を行わないと判定する。
【００７５】
受電ステータス情報４０３に、電子機器２００にエラーが発生していることを示す情報が含まれている場合、ＣＰＵ１０７は、電子機器２００への給電を行わないと判定する。受電ステータス情報４０３に、電子機器２００が給電装置１００に給電を要求することを示す情報が含まれている場合、ＣＰＵ１０７は、電子機器２００への給電を行うと判定する。受電ステータス情報４０３に、電池２０９が満充電でないことを示す情報が含まれている場合、ＣＰＵ１０７は、電子機器２００への給電を行うと判定する。受電ステータス情報４０３に、電子機器２００にエラーが発生していないことを示す情報が含まれている場合、ＣＰＵ１０７は、電子機器２００への給電を行うと判定する。
電子機器２００への給電を行うと判定された場合（Ｓ５１５でＹＥＳ）、本フローチャートは、Ｓ５１７に進む。電子機器２００への給電を行わないと判定された場合（Ｓ５１５でＮＯ）、本フローチャートは、Ｓ５１６に進む。
【００７６】
Ｓ５１６において、ＣＰＵ１０７は、給電ステータス情報４０２を生成し、生成された給電ステータス情報４０２を電子機器２００に送信するように通信部１０５を制御する。なお、Ｓ５１６においてＣＰＵ１０７によって生成される給電ステータス情報４０２には、給電装置１００が電子機器２００への無線給電を停止することを示す情報が含まれる。給電装置１００にエラーが発生している場合、Ｓ５１６においてＣＰＵ１０７によって生成される給電ステータス情報４０２には、さらに給電装置１００にエラーが発生していることを示す情報が含まれる。
【００７７】
給電ステータス情報４０２が通信部１０５によって送信された場合、本フローチャートは、Ｓ５０４に進む。給電ステータス情報４０２が通信部１０５によって送信された場合、ＣＰＵ１０７は、ＬＥＤ１１３を点灯させることによって、給電装置１００から電子機器２００への給電が完了したことを通知する。
Ｓ５１７において、ＣＰＵ１０７は、第２の電力を給電アンテナ１０６を介して出力するように発振器１０２、電力生成部１０３及び整合回路１０４の少なくとも一つを制御する。Ｓ５１７において、給電アンテナ１０６を介して出力される第２の電力の大きさは、ＣＰＵ１０７がデバイス情報４０１及び受電ステータス情報４０３の少なくとも一つを用いて設定する。
【００７８】
第２の電力が出力されてから給電期間が経過した後、ＣＰＵ１０７は、給電アンテナ１
０６を介して出力される電力を第２の電力から第１の電力に切り替えるように、発振器１
０２、電力生成部１０３及び整合回路１０４の少なくとも一つを制御する。その後、本フ
ローチャートは、Ｓ５０９に戻る。なお、給電期間は、電子機器２００に電池２０９の充
電を行わせるための電力を電子機器２００に出力する期間である。
【００７９】
なお、給電期間は、ＣＰＵ１０７によって設定されるものであっても良く、あらかじめ決められたものであっても良い。なお、ＣＰＵ１０７は、デバイス情報４０１及び受電ステータス情報４０３の少なくとも一つを用いて給電時間を設定するようにしても良い。Ｓ５１７において、第２の電力の出力が開始された場合、ＣＰＵ１０７は、ＬＥＤ１１３を点灯させることによって、給電装置１００が電子機器２００に給電中であることを通知する。また、第２の電力の出力が開始された場合、ＣＰＵ１０７は、表示部１１０を制御することによって、給電装置１００が電子機器２００に給電中であることを通知しても良い。
【００８０】
Ｓ５１７が行われた後に、再びＳ５０９が行われる場合、ＣＰＵ１０７は、Ｓ５１４でＹＥＳの場合にＲＡＭ１０９に格納された第１の更新データ４０２ａを含む給電ステータス情報４０２を生成する。その後、ＣＰＵ１０７は、生成された給電ステータス情報４０２を電子機器２００に送信するように通信部１０５を制御する。
【００８１】
なお、通信部１０５と通信部２０４との通信リンクが切断された場合、ＣＰＵ１０７は、ＲＡＭ１０９に格納されている第１の更新データ４０２ａをリセットする。その後、通信部１０５と通信部２０４との通信リンクが確立され、受電ステータス情報４０３を取得する場合、ＣＰＵ１０７は、再度、第１の更新データ４０２ａを設定し、これを含む給電ステータス情報４０２を電子機器２００に送信するようにする。
【００８２】
また、通信部１０５と通信部２０４との通信リンクが切断されてから通信部１０５と通信部２０４との通信リンクが再度確立された後に、ＣＰＵ１０７は、ＲＡＭ１０９に格納されている第１の更新データ４０２ａをリセットしても良い。この場合、受電ステータス情報４０３を取得する場合、ＣＰＵ１０７は、再度、第１の更新データ４０２ａを設定し、これを含む給電ステータス情報４０２を電子機器２００に送信する。
【００８３】
図５の給電処理において、ＣＰＵ１０７は、Ｓ５１７の処理を行った後、通信部１０５と通信部２０４との通信リンクを維持した状態で、再びＳ５０９の処理を行うようにした。しかし、これに限られないものとする。例えば、Ｓ５１７の処理が行われた後、ＣＰＵ１０７は、一旦、通信部１０５と通信部２０４との通信リンクを切断するように通信部１０５を制御し、再び、Ｓ５０１の処理を行うようにしても良い。
【００８４】
（通信処理）
電子機器２００によって行われる通信処理について、図６のフローチャートを用いて説明する。
受電アンテナ２０１が給電装置１００から電力を受電し、受電アンテナ２０１によって受電された電力が通信部２０４に供給された場合、通信部２０４は、Ｓ６０１において、
通信部１０５との無線通信を行うための認証を行う。その後、本フローチャートは、Ｓ６０２に進む。
【００８５】
Ｓ６０２において、通信部２０４は、通信部１０５との無線通信を行うための認証が完了したか否かを判定する。通信部１０５との無線通信を行うための認証が完了した場合（Ｓ６０２でＹＥＳ）、本フローチャートは、Ｓ６０３に進む。通信部１０５との無線通信を行うための認証が完了していない場合（Ｓ６０２でＮＯ）、本フローチャートは終了する。通信部１０５との無線通信を行うための認証が完了した場合（Ｓ６０２でＹＥＳ）、通信部２０４は、通信部１０５との通信リンクを確立する。
【００８６】
通信部１０５と通信部２０４との通信リンクが確立されている間、通信部２０４は、ＮＤＥＦに対応するデータを通信部１０５から受信したり、ＮＤＥＦに対応するデータを通信部１０５に送信することができる。通信部１０５との無線通信を行うための認証が完了していない場合（Ｓ６０２でＮＯ）、通信部２０４は、通信部１０５との通信リンクを確立できない。通信部１０５と通信部２０４との通信リンクが確立されていない場合、通信部２０４は、ＮＤＥＦに対応するデータを通信部１０５から受信することができず、ＮＤＥＦに対応するデータを通信部１０５に送信することもできない。
【００８７】
Ｓ６０３において、通信部２０４は、給電装置１００からデータを受信したか否かを判定する。通信部２０４が給電装置１００からデータを受信した場合（Ｓ６０３でＹＥＳ）、本フローチャートは、Ｓ６０４に進む。通信部２０４が給電装置１００からデータを受信していない場合（Ｓ６０３でＮＯ）、通信部２０４は、給電装置１００からデータを受信するまで、Ｓ６０３の処理を繰り返し行う。
Ｓ６０４において、通信部２０４は、デバイス情報４０１が給電装置１００から要求されたか否かを判定する。通信部２０４は、第１のコマンドを受信した場合、デバイス情報４０１が給電装置１００から要求されたと判定し（Ｓ６０４でＹＥＳ）、本フローチャートは、Ｓ６０５に進む。通信部２０４は、第１のコマンドを受信していない場合、デバイス情報４０１が要求されていないと判定し（Ｓ６０４でＮＯ）、本フローチャートは、Ｓ６０７に進む。
【００８８】
Ｓ６０５において、通信部２０４は、無線給電用データ群４００から読み出されたデバイス情報４０１を第１のコマンドの応答データとして給電装置１００に送信する。この場合、本フローチャートは、Ｓ６０６に進む。デバイス情報４０１が給電装置１００に送信された後、通信部２０４は、デバイス情報４０１の読み出しが完了したことをＣＰＵ２０６に通知する。
【００８９】
Ｓ６０６において、通信部２０４は、通信部１０５との通信リンクが切断されたか否かを判定する。通信部２０４は、通信部１０５との通信リンクが切断されていないと判定した場合（Ｓ６０６でＮＯ）、本フローチャートは、Ｓ６０３に戻る。通信部２０４は、通信部１０５との通信リンクが切断されたと判定した場合（Ｓ６０６でＹＥＳ）、本フローチャートは、Ｓ６０１に戻る。
【００９０】
Ｓ６０７において、通信部２０４は、給電ステータス情報４０２を給電装置１００から受信したか否かを判定する。通信部２０４は、第２のコマンドを受信した場合、給電ステータス情報４０２を受信したと判定し（Ｓ６０７でＹＥＳ）、本フローチャートは、Ｓ６０８に進む。通信部２０４は、第２のコマンドを受信していない場合、給電ステータス情報４０２が受信されていないと判定し（Ｓ６０７でＮＯ）、本フローチャートは、Ｓ６１３に進む。
【００９１】
Ｓ６０８において、通信部２０４は、第２のコマンドに含まれる給電ステータス情報４０２を無線給電用データ群４００に書き込む。第２のコマンドに含まれる給電ステータス情報４０２が無線給電用データ群４００に書き込まれた後、本フローチャートは、Ｓ６０９に進む。
【００９２】
Ｓ６０９において、通信部２０４は、給電ステータス情報４０２の無線給電用データ群４００への書き込みが完了したことを示すデータを第２のコマンドの応答データとして給電装置１００に送信する。その後、本フローチャートは、Ｓ６１０に進む。
Ｓ６１０において、通信部２０４は、給電ステータス情報４０２の無線給電用データ群４００への書き込みが完了したことをＣＰＵ２０６に通知する。その後、本フローチャートは、Ｓ６１１に進む。
【００９３】
Ｓ６１１において、ＣＰＵ２０６は、受電ステータス情報４０３を更新することができる否かを判定する。ＣＰＵ２０６が受電ステータス情報４０３を更新することができる場合（Ｓ６１１でＹＥＳ）、本フローチャートは、Ｓ６１２に進む。ＣＰＵ２０６が受電ステータス情報４０３を更新することができない場合（Ｓ６１１でＮＯ）、本フローチャートは、Ｓ６０６に進む。
【００９４】
Ｓ６１２において、ＣＰＵ２０６は、Ｓ６１０における通信部２０４からの通知に応じて、受電ステータス情報４０３の更新を開始する。まず、ＣＰＵ２０６は、Ｓ６０８で無線給電用データ群４００に書き込まれた給電ステータス情報４０２を読み出す。次に、ＣＰＵ２０６は、電子機器２００の各部から供給される情報に応じて、所定のデータ４０３ｂを更新する。さらに、ＣＰＵ２０６は、第１の更新データ４０２aに特定の値を加算することによって第２の更新データ４０３aを取得する。その後、ＣＰＵ２０６は、更新された所定のデータ４０３ｂと第２の更新データ４０３aとを受電ステータス情報４０３として、無線給電用データ群４００に書き込む。これによって、受電ステータス情報４０３の更新が完了する。受電ステータス情報４０３の更新が完了した後、本フローチャートは、Ｓ６０６に進む。
【００９５】
なお、デバイス情報４０１に含まれる時間情報４０１aによって示される時間は、少なくともＣＰＵ２０６がＳ６１２の処理を実行するために必要な時間が含まれるものである。さらに、デバイス情報４０１に含まれる時間情報４０１aによって示される時間は、通信部２０４がＳ６１０の処理を行うために必要な時間と、ＣＰＵ２０６がＳ６１１の処理を実行するために必要な時間とが含まれていても良い。さらに、デバイス情報４０１に含まれる時間情報４０１aによって示される時間には、マージンとなる時間が含まれていても良い。
【００９６】
Ｓ６１３において、通信部２０４は、受電ステータス情報４０３が給電装置１００から要求されたか否かを判定する。通信部２０４は、第３のコマンドを受信した場合、受電ステータス情報４０３が給電装置１００から要求されたと判定し（Ｓ６１３でＹＥＳ）、本フローチャートは、Ｓ６１４に進む。通信部２０４は、第３のコマンドを受信していない場合、受電ステータス情報４０３が要求されていないと判定し（Ｓ６１３でＮＯ）、本フローチャートは、Ｓ６１５に進む。
【００９７】
Ｓ６１４において、通信部２０４は、無線給電用データ群４００から読み出された受電ステータス情報４０３を第３のコマンドの応答データとして給電装置１００に送信する。この場合、本フローチャートは、Ｓ６０６に進む。受電ステータス情報４０３が給電装置１００に送信された後、通信部２０４は、受電ステータス情報４０３の無線給電用データ群４００からの読み出しが完了したことをＣＰＵ２０６に通知する。
【００９８】
Ｓ６１５において、通信部２０４は、給電装置１００から受信したデータの応答データを送信し、給電装置１００から受信したデータに対応する処理を行わせる通知をＣＰＵ２０６に出力する。その後、ＣＰＵ２０６は、通信部２０４からの通知に応じて、電子機器２００を制御する。この場合、本フローチャートは、Ｓ６０６に進む。
【００９９】
Ｓ６１２において、ＣＰＵ２０６は、所定のデータ４０３ｂが更新された後、第１の更新データ４０２ａに特定の値を加算することによって第２の更新データ４０３ａを取得するようにした。しかしながら、これに限られないものとする。例えば、Ｓ６１２において、ＣＰＵ２０６は、所定のデータ４０３ｂが更新された後、第１の更新データ４０２ａから特定の値を減算することによって第２の更新データ４０３ａを取得するようにしても良い。
【０１００】
次に、図７のシーケンスチャートを用いて、図５の給電処理が給電装置１００によって行われる場合の給電装置１００の動作と、図６の通信処理が電子機器２００によって行われる場合の電子機器２００の動作とについて説明する。
給電装置１００の電源がオンにされた場合、Ｓ７０１において、ＣＰＵ１０７は、第１の電力を給電アンテナ１０６を介して出力するための処理を行う。Ｓ７０１の処理は、図５のＳ５０１の処理に対応する。
【０１０１】
Ｓ７０１の処理が行われた後、Ｓ７０２において、給電装置１００から第１の電力が電子機器２００に対して出力される。Ｓ７０２の処理が行われた後、Ｓ７０３において、通信部１０５及び通信部２０４によって、通信部１０５と通信部２０４との通信リンクを確立する処理が行われる。Ｓ７０３の処理が行われた後、Ｓ７０４において、通信部１０５は、通信部１０５と通信部２０４との通信リンクが確立したことをＣＰＵ１０７に通知する。
【０１０２】
Ｓ７０４の処理が行われた後、Ｓ７０５において、ＣＰＵ１０７は、デバイス情報４０１を電子機器２００から要求するために、第１のコマンドを送信するように通信部１０５を制御する。Ｓ７０５の処理は、図５のＳ５０５の処理に対応する。Ｓ７０５の処理が行われた後、Ｓ７０６において、第１のコマンドは、電子機器２００に対して送信される。
通信部２０４が第１のコマンドを受信した場合、Ｓ７０７において、第１のコマンドの応答データとして、無線給電用データ群４００から読み出されたデバイス情報４０１が通信部２０４によって給電装置１００に送信される。Ｓ７０７の処理が行われた後に、Ｓ７０８において、通信部２０４は、デバイス情報４０１の読み出し（ｒｅａｄ）が完了したことをＣＰＵ２０６に通知する。
【０１０３】
Ｓ７０７の処理が行われた後に、Ｓ７０９において、通信部１０５は、デバイス情報４０１を受信した場合、デバイス情報４０１の読み出し（ｒｅａｄ）が完了したことをＣＰＵ１０７に通知する。Ｓ７０９の処理が行われた後に、Ｓ７１０において、ＣＰＵ１０７は、電子機器２００が無線給電に対応していると判定する（Ｓ５０７でＹＥＳの場合）。Ｓ７１０の処理が行われた後、Ｓ７１１において、ＣＰＵ１０７は、時間情報４０１ａに示されている時間を確認し、時間情報４０１ａに示されている時間を所定の時間として設定する。Ｓ７１１の処理は、図５のＳ５０８の処理に対応する。
【０１０４】
Ｓ７１１の処理が行われた後、Ｓ７１２において、ＣＰＵ１０７は、給電ステータス情報４０２を電子機器２００に送信するために、第２のコマンドを送信するように通信部１０５を制御する。Ｓ７１２の処理は、図５のＳ５０９の処理に対応する。Ｓ７１２の処理が行われた後、Ｓ７１３において、第２のコマンドは、電子機器２００に対して送信される。
【０１０５】
通信部２０４が第２のコマンドを受信した場合、Ｓ７１４において、無線給電用データ群４００に給電ステータス情報４０２が書き込まれたことを示すデータが通信部２０４によって第２のコマンドの応答データとして、給電装置１００に送信される。Ｓ７１４の処理は、図６のＳ６０９の処理に対応する。
【０１０６】
Ｓ７１４の処理が行われた後に、Ｓ７１５において、通信部２０４は、給電ステータス情報４０２の書き込み（ｗｒｉｔｅ）が完了したことをＣＰＵ２０６に通知する。Ｓ７１５の処理は、図６のＳ６１０の処理に対応する。
Ｓ７１５の処理が行われた後、Ｓ７１６において、ＣＰＵ２０６は、無線給電用データ群４００から給電ステータス情報４０２を読み出す。Ｓ７１６の処理が行われた後、Ｓ７１７において、ＣＰＵ２０６は、所定のデータ４０３ｂを更新する処理を行う。Ｓ７１７の処理が行われた後、Ｓ７１８において、ＣＰＵ２０６は、第１の更新データ４０２ａを用いて第２の更新データ４０３ａを取得することによって、第２の更新データ４０３ａを更新する。更新された所定のデータ４０３ｂ及び第２の更新データ４０３ａを受電ステータス情報４０３として無線給電用データ群４００に書き込む。Ｓ７１６、Ｓ７１７及びＳ７１８の処理は、図６のＳ６１２の処理に対応する。
【０１０７】
Ｓ７１４の処理が行われた後に、Ｓ７１９において、通信部１０５は、第２のコマンドの応答データを受信した場合、給電ステータス情報４０２の書き込み（ｗｒｉｔｅ）が完了したことをＣＰＵ１０７に通知する（Ｓ５１０でＹＥＳの場合）。
Ｓ７１９の処理が行われた後、Ｓ７２０において、ＣＰＵ１０７は、給電ステータス情報４０２の書き込みが完了したことが通信部１０５から通知されてから経過した時間を計測するようにタイマー１０７ａを制御する。Ｓ７２０の処理が行われた後に、Ｓ７２１において、ＣＰＵ１０７は、給電ステータス情報４０２の書き込みが完了したことが通信部１０５から通知されてから所定の時間が経過したと判定する（Ｓ５１１でＹＥＳの場合）。
【０１０８】
Ｓ７２１の処理が行われた後、Ｓ７２２において、ＣＰＵ１０７は、受電ステータス情報４０３を電子機器２００から要求するために、第３のコマンドを送信するように通信部１０５を制御する。Ｓ７２２の処理は、図５のＳ５１２の処理に対応する。Ｓ７２２の処理が行われた後、Ｓ７２３において、第３のコマンドは、電子機器２００に対して送信される。
【０１０９】
通信部２０４が第３のコマンドを受信した場合、Ｓ７２４において、第３のコマンドの応答データとして、無線給電用データ群４００から読み出された受電ステータス情報４０３が通信部２０４によって給電装置１００に送信される。
Ｓ７２４の処理が行われた後に、Ｓ７２５において、通信部２０４は、受電ステータス情報４０３の読み出し（ｒｅａｄ）が完了したことをＣＰＵ２０６に通知する。
Ｓ７２４の処理が行われた後に、Ｓ７２６において、通信部１０５は、受電ステータス情報４０３を受信した場合、受電ステータス情報４０３の読み出し（ｒｅａｄ）が完了したことをＣＰＵ１０７に通知する。
【０１１０】
Ｓ７２６の処理が行われた後に、Ｓ７２７において、ＣＰＵ１０７は、電子機器２００から取得した受電ステータス情報４０３が更新されたか否かを判定する。Ｓ７２７の処理は、図５のＳ５１４の処理に対応する。Ｓ７２７の処理が行われた後、Ｓ７２８において、ＣＰＵ１０７は、受電ステータス情報４０３が電子機器２００によって更新されたと判定する（Ｓ５１４でＹＥＳの場合）。Ｓ７２８の処理が行われた後、Ｓ７２９において、ＣＰＵ１０７は、給電アンテナ１０６から出力される電力を第１の電力から第２の電力に変更するための処理を行う。Ｓ７２９の処理は、図５のＳ５１７の処理に対応する。
Ｓ７２９の処理が行われてから給電時間が経過した場合、ＣＰＵ１０７は、Ｓ７１２の処理に戻るようにする。また、Ｓ７２９の処理が行われてから給電時間が経過した場合、ＣＰＵ１０７は、Ｓ７０１の処理に戻るようにしても良い。
【０１１１】
Ｓ７２９の処理が行われた後、Ｓ７３０において、給電アンテナ１０６を介して第２の電力が電子機器２００に対して出力される。Ｓ７３０の処理が行われた後、ＣＰＵ２０６は、Ｓ７３１の処理を行う。Ｓ７３１において、ＣＰＵ２０６は、第２の電力が給電装置１００から出力されていると判定した場合、受電アンテナ２０１によって受電された電力を電池２０９及びシステム部２１０の少なくとも一つに供給するようにレギュレータ２０５を制御する。
【０１１２】
レギュレータ２０５から電池２０９に受電アンテナ２０１によって受電された電力が供給される場合、充電部２０８にも、受電アンテナ２０１によって受電された電力が供給される。そのため、充電部２０８は、受電アンテナ２０１によって受電された電力を用いて、電池２０９の充電を行う。また、レギュレータ２０５からシステム部２１０に受電アンテナ２０１によって受電された電力が供給される場合、ＣＰＵ２０６は、レギュレータ２０５から供給された電力を用いて、画像データの撮影や画像データの記録等をシステム部２１０に行わせる。
【０１１３】
このように、実施例１に係る給電装置１００は、受電ステータス情報４０３を更新するために必要な時間に応じて、受電ステータス情報４０３を電子機器２００に要求するタイミングを制御するようにした。この場合、給電装置１００は、受電ステータス情報４０３の更新が完了したと想定される時間が経過した後に、受電ステータス情報４０３を要求するように通信部１０５を制御する。さらに、給電装置１００は、受電ステータス情報４０３の更新が完了したと想定される時間が経過するまでは、受電ステータス情報４０３を要求しないように通信部１０５を制御する。
【０１１４】
これにより、給電装置１００は、電子機器２００によって更新が完了していない受電ステータス情報４０３を取得してしまうようなケースを低減することができるので、所望の電力を電子機器に供給できないような事態を防止するようにすることができる。
さらに、給電装置１００は、電子機器２００から受信された受電ステータス情報４０３が電子機器２００によって更新されたか否かの判定結果に応じて、電子機器２００から受信された受電ステータス情報４０３が正しいか否かを判定するようにした。電子機器２００から受信された受電ステータス情報４０３が電子機器２００によって更新されていた場合、給電装置１００は、電子機器２００から受信された受電ステータス情報４０３が正しいと判定する。また、電子機器２００から受信された受電ステータス情報４０３が電子機器２００によって更新されていない場合、給電装置１００は、電子機器２００から受信された受電ステータス情報４０３が正しくないと判定する。
【０１１５】
これにより、給電装置１００は、正しいと判定された受電ステータス情報４０３を用いて、電子機器２００への無電給電を制御することができる。また、給電装置１００は、正しくないと判定された受電ステータス情報４０３を用いないようにすることで、電子機器２００に対して誤った制御を行わないようにすることができる。
したがって、給電装置１００は、電子機器２００で正しく更新が行われた受電ステータス情報４０３を用いて、電子機器２００への無電給電を適切に行うことができる。
【０１１６】
実施例１において、給電装置１００及び電子機器２００は、ＮＦＣ規格に基づいて無線通信を行うものとした。しかし、給電装置１００及び電子機器２００は、ＮＦＣ規格以外の規格に基づいて無線通信を行うものであっても良いものとする。例えば、給電装置１００及び電子機器２００は、ＮＦＣ規格の代わりに、ＩＳＯ／ＩＥＣ  １８０９２規格に準拠した無線通信を行うものであってもよい。また、給電装置１００及び電子機器２００は、ＮＦＣ規格の代わりに、ＲＦＩＤ（Ｒａｄｉｏ  Ｆｒｅｑｕｅｎｃｙ  ＩＤｅｎｔｉｆｉｃａｔｉｏｎ）に準拠した無線通信を行うものであってもよい。また、給電装置１００及び電子機器２００は、ＮＦＣ規格の代わりに、ＩＳＯ／ＩＥＣ  １４４４３規格に準拠した無線通信を行うものであってもよい。
【０１１７】
また、給電装置１００及び電子機器２００は、ＮＦＣ規格の代わりに、ＴｒａｎｓｆｅｒＪｅｔ（登録商標）規格に準拠した無線通信を行うものであってもよい。また、給電装置１００及び電子機器２００は、ＮＦＣ規格の代わりに、ＩＳＯ／ＩＥＣ  ２１４８１規格に準拠した無線通信を行うものであってもよい。また、給電装置１００及び電子機器２００は、ＮＦＣ規格の代わりに、Ｂｌｕｅｔｏｏｔｈ（登録商標）規格や無線ＬＡＮ規格に準拠した無線通信を行うものであってもよい。
【０１１８】
実施例１において、給電装置１００は、給電アンテナ１０６を用いて電子機器２００に第２の電力を供給し、給電アンテナ１０６を用いて通信部１０５と電子機器２００との通信を行うようにしたが、これに限られないものとする。例えば、給電装置１００は、電子機器２００に第２の電力を供給するためのアンテナと、通信部１０５と電子機器２００との通信を行うためのアンテナとを別々に有する構成であってもよい。そのため、電子機器２００に第２の電力を供給するためのアンテナに対応する共振周波数と、通信部１０５と電子機器２００との通信を行うためのアンテナに対応する共振周波数は、同一の周波数であっても、異なる周波数であっても良い。この場合、電子機器２００に第２の電力を供給するためのアンテナに対応する共振周波数は、６．７８ＭＨｚであっても良く、１００ＫＨｚ〜２５０ＫＨｚまでの間の周波数であっても良い。通信部１０５と電子機器２００との通信を行うためのアンテナに対応する共振周波数は、通信部１０５の通信規格に対応する周波数であれば、１３．５６ＭＨｚ以外の周波数であっても良い。
【０１１９】
また、電子機器２００は、受電アンテナ２０１を用いて給電装置１００から電力を受け取り、受電アンテナ２０１を用いて給電装置１００と通信部２０４との通信を行うようにしたが、これに限られないものとする。例えば、電子機器２００は、給電装置１００から電力を受け取るためのアンテナと、給電装置１００と通信部２０４との通信を行うアンテナとを別々に有する構成であってもよい。そのため、給電装置１００から電力を受け取るためのアンテナに対応する共振周波数と、給電装置１００と通信部２０４との通信を行うアンテナに対応する共振周波数は、同一の周波数であっても、異なる周波数であっても良い。この場合、給電装置１００から電力を受け取るためのアンテナに対応する共振周波数は、６．７８ＭＨｚであっても良く、１００ＫＨｚ〜２５０ＫＨｚまでの間の周波数であっても良い。給電装置１００と通信部２０４との通信を行うアンテナに対応する共振周波数は、通信部２０４の通信規格に対応する周波数であれば、１３．５６ＭＨｚ以外の周波数であっても良い。
【０１２０】
（他の実施例）
本発明に係る給電装置１００は、実施例１で説明した給電装置１００に限定されるものではない。また、本発明に係る電子機器２００も実施例１で説明した電子機器２００に限定されるものではない。例えば、本発明に係る給電装置１００及び電子機器２００は、複数の装置から構成されるシステムにより実現することも可能である。
また、実施例１で説明した様々な処理及び機能は、コンピュータプログラムにより実現することも可能である。この場合、本発明に係るコンピュータプログラムは、コンピュータ（ＣＰＵ等を含む）で実行可能であり、本実施例で説明した様々な機能を実現することになる。
本発明に係るコンピュータプログラムは、コンピュータ上で稼動しているＯＳ（Ｏｐｅｒａｔｉｎｇ  Ｓｙｓｔｅｍ）などを利用して、本実施例で説明した様々な処理及び機能を実現してもよいことは言うまでもない。
本発明に係るコンピュータプログラムは、コンピュータ読取可能な記録媒体から読み出され、コンピュータで実行されることになる。コンピュータ読取可能な記録媒体には、ハードディスク装置、光ディスク、ＣＤ−ＲＯＭ、ＣＤ−Ｒ、メモリカード、ＲＯＭ等を用いることができる。また、本発明に係るコンピュータプログラムは、通信インターフェースを介して外部装置からコンピュータに提供され、当該コンピュータで実行されるようにしてもよい。
【符号の説明】
【０１２１】
１００  給電装置
１０３  電力生成部
１０５  通信部
１０６  給電アンテナ
１０７  ＣＰＵ
１０７ａ  タイマー
１０８  ＲＯＭ
１０９  ＲＡＭ
１１０  表示部
１１１  操作部
１１２  検出部
２００  電子機器
【図１】
2019037140.tif 000003
【図２】
2019037140.tif 000004
【図３】
2019037140.tif 000005
【図４】
2019037140.tif 000006
【図５】
2019037140.tif 000007
【図６】
2019037140.tif 000008
【図７】
2019037140.tif 000009